(57)【要約】【課題】データ伝送処理のフィルタリングポリシなどの設定情報を任意に変更できる車載ゲートウェイ装置及び車載通信システムを提供する。【解決手段】車両に搭載された複数の通信ネットワーク（ＣＬ−ＬＡＮ、ＯＰ−ＬＡＮ）と接続され、通信ネットワーク間のデータ伝送処理を含む各種処理を実行する車載ゲートウェイ装置１０において、前記各種処理に関する設定情報を記憶部１２に記憶し、記憶部１２に記憶されている設定情報の変更要求を操作装置から第１通信Ｉ／Ｆ１４で受付け、第１通信Ｉ／Ｆ１４が操作装置から受付けた変更要求に応じて、ＭＰＵ１１により、設定情報を更新する。【選択図】        図２
2004179772.tif 000002
【特許請求の範囲】
【請求項１】
車両に搭載され、複数の通信ネットワーク間のデータ伝送処理を含むデータ処理を実行する車載ゲートウェイ装置において、
前記データ処理に関する設定情報を記憶する設定記憶部と、
設定記憶部に記憶されている設定情報の変更要求を受付ける受付手段と、
受付手段で受付けた変更要求に応じて、前記設定情報を更新する更新手段と
を備えることを特徴とする車載ゲートウェイ装置。
【請求項２】
車両に搭載され、複数の通信ネットワークと、該通信ネットワーク間のデータ伝送処理を含むデータ処理を実行する車載ゲートウェイ装置とを有する車載通信システムにおいて、
前記車載ゲートウェイ装置は、
前記データ処理に関する設定情報を記憶する設定記憶部と、
設定記憶部に記憶されている設定情報の変更要求を受付ける受付手段と、
受付手段で受付けた変更要求に応じて、前記設定情報を更新する更新手段と
を備えることを特徴とする車載通信システム。
【請求項３】
車両に搭載され、複数の通信ネットワークと、該通信ネットワーク間のデータ伝送処理を含むデータ処理を実行する車載ゲートウェイ装置と、該車載ゲートウェイ装置に接続された車載機器とを有する車載通信システムにおいて、
前記車載ゲートウェイ装置は、
前記データ処理に関する設定情報を記憶する設定記憶部と、
前記車載機器から設定記憶部に記憶されている設定情報の変更要求を受付ける受付手段と、
受付手段で受付けた変更要求に応じて、前記設定情報を更新する更新手段と
を備えることを特徴とする車載通信システム。
【請求項４】
車両に搭載され、複数の通信ネットワークと、該通信ネットワーク間のデータ伝送処理を含むデータ処理を実行する車載ゲートウェイ装置とを有する車載通信システムにおいて、
前記車載ゲートウェイ装置は、
前記データ処理に関する設定情報を記憶する設定記憶部と、
前記通信ネットワーク内の機器から前記設定記憶部に記憶されている設定情報の変更要求を受付ける受付手段と、
受付手段で受付けた変更要求に応じて、前記設定情報を更新する更新手段と
を備えることを特徴とする車載通信システム。
【請求項５】
データ伝送元を認証する認証手段を備え、
前記更新手段は、認証手段により、前記設定情報の変更を要求したデータ伝送元の認証が完了した場合に、前記設定情報を更新するように構成されていることを特徴とする請求項２〜４の何れかに記載の車載通信システム。
【請求項６】
データ伝送元の識別情報を取得する取得手段と、
前記設定情報の変更が許可されるデータ伝送元の識別情報を記憶する伝送元記憶部と
を備え、
前記認証手段は、取得手段で取得した識別情報及び伝送元記憶部に記憶されている識別情報に基づいてデータ伝送元を認証するように構成されていることを特徴とする請求項５記載の車載通信システム。
【請求項７】
前記複数の通信ネットワークは、機器を追加できない第１ネットワークと、機器を追加できる第２ネットワークとを含み、
前記受付手段は、第１ネットワークに接続された機器から前記設定情報の変更要求を受付けるように構成されていることを特徴とする請求項２〜６の何れかに記載の車載通信システム。
【請求項８】
車両が停止していることを検出する停止検出手段を備え、
前記更新手段は、停止検出手段によって車両の停止が検出された場合に、前記受付手段で受付けた変更要求に応じて前記設定情報を更新するように構成されていることを特徴とする請求項２〜７の何れかに記載の車載通信システム。
【発明の詳細な説明】
【０００１】
【発明の属する技術分野】
本発明は、車両に搭載され、複数の通信ネットワーク間のデータ伝送処理を含むデータ処理を実行する車載ゲートウェイ装置及び該車載ゲートウェイ装置を有する車載通信システムに関する。
【０００２】
【従来の技術】
複数の通信ネットワークを相互に接続する場合、ゲートウェイ装置が使用される。自動車内に設けられた車載通信システム（車載ＬＡＮ）においては、例えば、ユーザが自由に機器を接続及び取外しできる通信ネットワーク（以下、ＯＰ−ＬＡＮ）と、自動車メーカ以外は機器を接続及び取外しできない通信ネットワーク（以下、ＣＬ−ＬＡＮ）とがゲートウェイ装置を用いて接続されている（例えば、特許文献１参照）。
【０００３】
ユーザが、例えばインターネットに接続可能な外部通信装置をＯＰ−ＬＡＮに接続した場合、ＯＰ−ＬＡＮは外部通信装置によって直接的にインターネットに接続された状態となり、ＣＬ−ＬＡＮはゲートウェイ装置を介して間接的にインターネットに接続された状態となる。ゲートウェイ装置は、ＯＰ−ＬＡＮに接続された機器とＣＬ−ＬＡＮに接続された機器との間のデータ転送制御を行う。例えばＯＰ−ＬＡＮの外部通信装置からＣＬ−ＬＡＮの所定機器へのデータ転送をブロックしたり、ＣＬ−ＬＡＮの所定機器から外部通信機器（インターネット）へのデータ転送をブロックしたり、不要なデータの転送をブロックするフィルタリングなどのデータ転送制御を行う。
【０００４】
フィルタリングは、予め設定されているフィルタリングポリシに基づいて行われる。例えば、転送をブロックするデータの種類、データの転送をブロックする送信元及び／又は送信先などのフィルタリングポリシの設定情報が、ゲートウェイ装置内のＲＯＭ（Ｒｅａｄ  Ｏｎｌｙ  Ｍｅｍｏｒｙ）に予め記憶されている。また、ゲートウェイ装置のインタフェイスは、ＣＬ−ＬＡＮ及びＯＰ−ＬＡＮと接続するためのＬＡＮケーブル接続部および電源が接続される電源接続部を備える程度であり、操作部又は表示部などは備えておらず、通常は、インストルメントパネルの裏側などのユーザの目に付かない場所に配置されている。
【０００５】
【特許文献１】
特開２００２−１６６１４号公報
【０００６】
【発明が解決しようとする課題】
一般的に、ゲートウェイ装置において転送がブロックされるデータを増やすなどしてセキュリティ強度を高めた場合、ゲートウェイ装置で転送可能なデータが大幅に制限され、利便性は低下する。逆に、ゲートウェイ装置において転送がブロックされるデータを減らすなどしてセキュリティ強度を低下させた場合、一部を除く殆どのデータがゲートウェイ装置で転送可能となり、利便性が向上する。セキュリティと利便性とのバランスはユーザ毎に異なるため、フィルタリングポリシをユーザ側で設定したいという要求が生じている。しかし、上述したように、ゲートウェイ装置のフィルタリングポリシは予め設定されており、操作部及び表示部も備えないため、ユーザ側で変更することはできない。
【０００７】
例えば、ゲートウェイ装置に、フラッシュメモリなどの書換え可能な記憶装置、スイッチボタンなどの操作部及び液晶パネルなどの表示部を備え、表示部に表示された設定項目を操作部で変更し、変更後の設定をフラッシュメモリに記憶することが考えられる。しかし、フラッシュメモリ、操作部及び表示部の追加により、コストが増加すると共に、装置全体のサイズが大型化する。また、ゲートウェイ装置（操作部及び表示部）をユーザが操作し易い場所に配置する必要があるため、配置の自由度が制限される。そのため、多くのゲートウェイ装置は操作部及び表示部を備えておらず、フィルタリングポリシの変更はユーザ側で行えないのが現状である。また、フィルタリングポリシ以外の各種設定に関してもユーザ側で変更できないのが現状である。
【０００８】
本発明は斯かる事情に鑑みてなされたものであり、設定記憶部に記憶されている設定情報の変更要求を受付ける受付手段と、受付けた変更要求に応じて設定情報を更新する更新手段を備えることにより、データ伝送処理に関するフィルタリングポリシなどの設定情報を任意に変更できる車載ゲートウェイ装置及び車載通信システムを提供することを目的とする。
【０００９】
また、本発明は、車載機器から設定情報の変更要求を受付けることにより、操作パネルなどの新規追加に必要なコストを低減できる車載通信システムを提供することを他の目的とする。
【００１０】
また、本発明は、車載ＬＡＮ内の機器から設定情報の変更要求を受付けることにより、新たな配線に必要なコストを低減できる車載通信システムを提供することを他の目的とする。
【００１１】
また、本発明は、データ伝送元を認証する認証手段を備えることにより、特定のデータ伝送元（機器又はユーザ）からの変更要求に応じて設定情報を更新する車載通信システムを提供することを他の目的とする。
【００１２】
また、本発明は、機器の追加が制限されているセキュリティ強度の高い通信ネットワーク内の機器から設定情報の変更を受付けることにより、高いセキュリティ強度を維持できる車載通信システムを提供することを他の目的とする。
【００１３】
また、本発明は、車両が停止していることを検出する停止検出手段を備え、停車検出時に設定情報の更新を行うことにより、設定情報を変更する場合の安全性を向上させた車載通信システムを提供することを他の目的とする。
【００１４】
【課題を解決するための手段】
第１発明に係る車載ゲートウェイ装置は、車両に搭載され、複数の通信ネットワーク間のデータ伝送処理を含むデータ処理を実行する車載ゲートウェイ装置において、前記データ処理に関する設定情報を記憶する設定記憶部と、設定記憶部に記憶されている設定情報の変更要求を受付ける受付手段と、受付手段で受付けた変更要求に応じて、前記設定情報を更新する更新手段とを備えることを特徴とする。
【００１５】
第２発明に係る車載通信システムは、車両に搭載され、複数の通信ネットワークと、該通信ネットワーク間のデータ伝送処理を含むデータ処理を実行する車載ゲートウェイ装置とを有する車載通信システムにおいて、前記車載ゲートウェイ装置は、前記データ処理に関する設定情報を記憶する設定記憶部と、設定記憶部に記憶されている設定情報の変更要求を受付ける受付手段と、受付手段で受付けた変更要求に応じて、前記設定情報を更新する更新手段とを備えることを特徴とする。
【００１６】
第３発明に係る車載通信システムは、車両に搭載され、複数の通信ネットワークと、該通信ネットワーク間のデータ伝送処理を含むデータ処理を実行する車載ゲートウェイ装置と、該車載ゲートウェイ装置に接続された車載機器とを有する車載通信システムにおいて、前記車載ゲートウェイ装置は、前記データ処理に関する設定情報を記憶する設定記憶部と、前記車載機器から設定記憶部に記憶されている設定情報の変更要求を受付ける受付手段と、受付手段で受付けた変更要求に応じて、前記設定情報を更新する更新手段とを備えることを特徴とする。
【００１７】
第４発明に係る車載通信システムは、車両に搭載され、複数の通信ネットワークと、該通信ネットワーク間のデータ伝送処理を含むデータ処理を実行する車載ゲートウェイ装置とを有する車載通信システムにおいて、前記車載ゲートウェイ装置は、前記データ処理に関する設定情報を記憶する設定記憶部と、前記通信ネットワーク内の機器から前記設定記憶部に記憶されている設定情報の変更要求を受付ける受付手段と、受付手段で受付けた変更要求に応じて、前記設定情報を更新する更新手段とを備えることを特徴とする。
【００１８】
第５発明に係る車載通信システムは、第２〜第４発明のいずれかにおいて、データ伝送元を認証する認証手段を備え、前記更新手段は、認証手段により、前記設定情報の変更を要求したデータ伝送元の認証が完了した場合に、前記設定情報を更新するように構成されていることを特徴とする。
【００１９】
第６発明に係る車載通信システムは、第５発明において、データ伝送元の識別情報を取得する取得手段と、前記設定情報の変更が許可されるデータ伝送元の識別情報を記憶する伝送元記憶部とを備え、前記認証手段は、取得手段で取得した識別情報及び伝送元記憶部に記憶されている識別情報に基づいてデータ伝送元を認証するように構成されていることを特徴とする。
【００２０】
第７発明に係る車載通信システムは、第２〜第６発明の何れかにおいて、前記複数の通信ネットワークは、機器を追加できない第１ネットワークと、機器を追加できる第２ネットワークとを含み、前記受付手段は、第１ネットワークに接続された機器から前記設定情報の変更要求を受付けるように構成されていることを特徴とする。
【００２１】
第８発明に係る車載通信システムは、第２〜第７発明の何れかにおいて、車両が停止していることを検出する停止検出手段を備え、前記更新手段は、停止検出手段によって車両の停止が検出された場合に、前記受付手段で受付けた変更要求に応じて前記設定情報を更新するように構成されていることを特徴とする。
【００２２】
第１又は第２発明においては、ゲートウェイ装置で実行されるデータ処理に関する設定情報が設定記憶部に記憶されており、設定情報の変更要求を受付手段で受付け、更新手段により、受付けた変更要求に応じて設定情報を更新する。設定情報は、ゲートウェイ装置の動作（データ処理）に関する各種設定を含み、例えば通信ネットワーク間のデータ伝送処理のフィルタリングポリシを含む。フィルタリングポリシを変更することにより、セキュリティの強度が変わる。セキュリティの強度を高めた場合は、転送できるデータの制限が多くなるため、利便性は低下する。セキュリティの強度を下げた場合は、転送できるデータの制限が少なくなり、利便性は向上する。また、設定情報は、パスワードなどのデータ処理に関する情報も含み、パスワードなどを変更することも可能である。
【００２３】
第３発明においては、ゲートウェイ装置で実行されるデータ処理に関する設定情報が設定記憶部に記憶されており、受付手段により、車両に搭載されている機器から設定情報の変更要求を受付け、更新手段により、受付けた変更要求に応じて設定情報を更新する。例えば、車両に搭載されているタッチパネル式の液晶ディスプレイから、設定情報の変更要求を受付ける。また、インストルメントパネルに汎用性のある操作パネルが搭載されている場合は、前記操作パネルから設定情報の変更要求を受付けることが可能である。車両に搭載されている既存の車載機器から設定情報の変更要求を受付ける場合、機器の新規追加は不要である。
【００２４】
第４発明においては、ゲートウェイ装置で実行されるデータ処理に関する設定情報が設定記憶部に記憶されており、受付手段により、車載ＬＡＮ内の機器から設定情報の変更要求を受付け、更新手段により、受付けた変更要求に応じて設定情報を更新する。例えば、ゲートウェイ装置に接続された車載ＬＡＮ内のタッチパネル式の液晶ディスプレイから、設定情報の変更要求を受付ける。また、インストルメントパネルに搭載された汎用性のある操作パネルが車載ＬＡＮに接続されている場合は、前記操作パネルから設定情報の変更要求を受付けることが可能である。車両に搭載されている既存通信ネットワーク内の機器から設定情報の変更要求を受付ける場合、機器及び通信回線の新規追加は不要である。
【００２５】
第５発明においては、認証手段でデータ伝送元を認証し、設定情報の変更を要求したデータ伝送元の認証が完了した場合に、更新手段で設定情報を更新する。更新手段は、認証が完了していないデータ伝送元からの変更要求は破棄し、設定情報の更新は行わない。認証として、例えばユーザから入力されるパスワードを使用したり、機器に予め割当てられている機器番号を使用することが可能である。特定のデータ伝送元（ユーザ又は機器）からの変更要求に応じて設定情報を更新することにより、設定情報の変更に対するセキュリティ強度が向上する。
【００２６】
第６発明においては、設定情報の変更を許可するデータ伝送元の識別情報が伝送元記憶部に記憶されており、取得手段でデータ伝送元の識別情報を取得し、取得した識別情報と伝送元記憶部に記憶されている識別情報とに基づいて認証を行う。認証手段は、データ伝送元（ユーザ又は機器）から受付けたパスワード又は機器番号などの識別情報と、伝送元記憶部に記憶されているパスワード又は機器番号などの識別情報とを比較して認証を行う。送信元記憶部に記憶されている識別情報は、設定情報と同様にして変更することも可能である。
【００２７】
第７発明においては、ゲートウェイ装置には、機器を追加できない第１ネットワークと、機器を追加できる第２ネットワークとが接続されており、受付手段は、第１ネットワークに接続された機器から設定情報の変更要求を受付ける。第１ネットワークは、新たに機器を追加できないため、接続される機器は予め固定されており、セキュリティ強度は高い。セキュリティ強度の高い第１ネットワークに接続された機器から設定情報の変更要求を受付けることにより、設定情報の変更に対するセキュリティ強度が向上する。
【００２８】
第８発明においては、車両が停止していることを停止検出手段で検出し、車両の停止が検出された場合、更新手段により、変更要求に応じて設定情報を更新する。設定情報を変更した場合、ゲートウェイ装置の動作が不安定になる可能性がある。例えば、フィルタリングポリシを途中で変更した場合、設定記憶部の更新処理などにより、データ伝送が一時的に停止される場合がある。また、運転中に設定情報を変更する場合、操作パネルの操作などにより、運転に対する集中力が低下する可能性がある。停車中であれば、設定情報の変更が運転に与える影響が最小限に抑えられる。
【００２９】
【発明の実施の形態】
以下、本発明をその実施の形態を示す図面に基づいて具体的に説明する。
（第１の実施の形態）
図１に、本発明に係る車載ゲートウェイ装置（以下、ゲートウェイという）１０を備えた車載通信システム（以下、車載ＬＡＮという）の例を示す。また、図２にゲートウェイ１０の例を示す。
【００３０】
車載ＬＡＮ（Ｌｏｃａｌ  Ａｒｅａ  Ｎｅｔｗｏｒｋ）は、ゲートウェイ１０に接続されたＣＬ−ＬＡＮ（第１ネットワーク）とＯＰ−ＬＡＮ（第２ネットワーク）とを含む。ＣＬ−ＬＡＮは、接続できる機器を自動車メーカが制限しており、自動車メーカ以外による機器の接続及び取外しを禁止しているＬＡＮであり、ユーザは機器を接続及び取外しできない。ＯＰ−ＬＡＮは、自動車のユーザが自由に機器を接続及び取外すことができるＬＡＮである。
【００３１】
本説明では、ＣＬ−ＬＡＮには、ディスプレイ２０，スピーカ４６，ナビゲーションシステム４８及び操作装置３０が接続されており、ＯＰ−ＬＡＮには、外部通信装置４０，車載ＰＣ（Ｐｅｒｓｏｎａｌ  Ｃｏｍｐｕｔｅｒ）４２及びＤＶＤ（Ｄｉｇｉｔａｌ  Ｖｉｄｅｏ  Ｄｉｓｋ）プレーヤ４４が接続されている。ゲートウェイ１０に接続される通信ネットワークは、ユーザにオープンなバス（ＯＰ−ＬＡＮ）、クローズなバス（ＣＬ−ＬＡＮ）に限定はされず、低速バス及び高速バス、制御系バス及び情報系バス、または、車外バス（携帯電話などで構成されるネットワーク）及び車内バスをゲートウェイ１０で接続することも可能である。
【００３２】
各機器２０，３０，４０，４２，４４，４６，４８は、例えばＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４に準拠した通信Ｉ／Ｆ（通信インタフェイス）を備え、ＩＥＥＥ１３９４バスに接続されている。また、ＲＦＣ（Ｒｅｑｕｅｓｔ  Ｆｏｒ  Ｃｏｍｍｅｎｔｓ）２７３４で規定されているＩＰ  ｏｖｅｒＩＥＥＥ１３９４を用いて、ＩＥＥＥ１３９４バスでＩＰパケットを伝送することが可能であり、外部通信装置４０は、インターネット等の車外の通信ネットワーク５０に接続されている。
【００３３】
ＯＰ−ＬＡＮ及びＣＬ−ＬＡＮに接続された各機器及びゲートウェイ１０は、ＩＥＥＥ１３９４パケット（以下、１３９４パケット）と、ＩＰ  ｏｖｅｒ  ＩＥＥＥ１３９４パケット（以下、ＩＰ−１３９４パケット）との一方又は両方の伝送が可能である。例えば、ゲートウェイ１０のデータ転送処理により、ＤＶＤプレーヤ４４からディスプレイ２０に１３９４パケットを伝送したり、外部通信装置４０からナビゲーションシステム４８へＩＰ―１３９４パケットを伝送すること等が可能である。
【００３４】
ゲートウェイ１０は、図２に示すように、ＣＬ−ＬＡＮ，ＯＰ−ＬＡＮが夫々接続される第１通信Ｉ／Ｆ１４，第２通信Ｉ／Ｆ１５と、第１通信Ｉ／Ｆ１４及び第２通信Ｉ／Ｆ１５が接続され、ＣＬ−ＬＡＮ及びＯＰ−ＬＡＮ間のデータ転送を制御する転送制御部１３とを備える。転送制御部１３にはＭＰＵ（ＭｉｃｒｏＰｒｏｃｅｓｓｉｎｇ  Ｕｎｉｔ）１１が接続され、ゲートウェイ１０で行う各種処理をＭＰＵ１１で実行する。転送制御部１３及びＭＰＵ１１には、データ転送処理を含む各種処理に関する設定情報などが記憶される記憶部１２が接続される。記憶部１２は、フラッシュメモリなどの不揮発性メモリを含む。
【００３５】
ＭＰＵ１１は、ＡＶ／Ｃ（Ａｕｄｉｏ／Ｖｉｄｅｏ  Ｃｏｎｔｒｏｌ）を使用して、ＩＥＥＥ１３９４に対応する各機器の機器番号等の機器識別情報を取得し、記憶部１２に記憶する。また、ＭＰＵ１１は、ＣＬ−ＬＡＮ及びＯＰ−ＬＡＮに接続されている各機器の１３９４アドレス及び／又はＩＰアドレスを取得又は割当てて、記憶部１２に記憶する。また、記憶部１２には、例えば、転送をブロックするデータの種類、データの転送をブロックする送信元及び／又は送信先などのフィルタリングポリシを含む設定情報が記憶される。
【００３６】
転送制御部１３は、ＣＬ−ＬＡＮ及びＯＰ−ＬＡＮの一方から送信されたデータ（パケット）を、パケットのヘッダ及び記憶部１２に記憶された設定情報（フィルタリングポリシ）に基づいて他方へ転送する。パケットの送信先及び／又は送信元の識別は、例えば、１３９４パケットのヘッダに含まれる１３９４アドレスに基づいて識別したり、ＩＰ−１３９４パケットのヘッダに含まれるＩＰアドレスに基づいて識別したり、機器番号などの機器識別情報に基づいて識別することが可能である。
【００３７】
第１通信Ｉ／Ｆ１４は、設定情報の変更要求を受付ける手段（受付手段）として動作する。第１通信Ｉ／Ｆ１４が受付けた設定情報の変更要求は、転送制御部１３からＭＰＵ１１に送られる。ＭＰＵ１１は、第１通信Ｉ／Ｆ１４で受付けた設定情報の変更要求に応じて、記憶部１２に記憶されている設定情報を更新する手段（更新手段）として動作する。
【００３８】
設定情報の例を図３（ａ）、（ｂ）に示す。図３（ａ）、（ｂ）の例では、設定情報には、各設定項目の設定値が登録されている。例えば図３（ａ）に示すように、ＣＬ−ＬＡＮへのアクセスを許可する機器に関する設定項目「アクセス可能機器」の設定値が「ＡＬＬ」の場合、ゲートウェイ１０は、制限なく全ての機器からアクセスを受付けてデータを転送する。また、例えば図３（ｂ）に示すように、設定項目「アクセス可能機器」の設定値が「３」で、「機器Ａ」，「機器Ｂ」及び「機器Ｄ」が登録されている場合、ゲートウェイ１０は、３つの機器（機器Ａ，Ｂ，Ｄ）からのみアクセスを受付けてデータを転送する。図示していないが、設定項目「アクセス可能機器」の設定値が「０」の場合、ゲートウェイ１０は、何れの機器からもアクセスを受付けず、データも転送しない。
【００３９】
同様に、図示していないが、ＣＬ−ＬＡＮへのアクセスを許可するアドレスに関する設定項目「アクセス可能アドレス」の設定値が「２」で、「アドレスＡ」及び「アドレスＣ」が登録されている場合、ゲートウェイ１０（ＭＰＵ１１）は、２つのアドレス（アドレスＡ，Ｃ）からのみアクセスを受付けてデータを転送する。ここで、アドレスＡ，Ｃは、１３９４アドレス又はＩＰアドレスである。
【００４０】
ユーザは、操作装置３０を使用して設定情報の変更を行う。操作装置３０の例を図４（ａ）に示す。操作装置３０は、例えば十字カーソルキー（上下左右キー）と、決定キーと、キャンセルキーと、設定情報の変更を指示する設定変更キーなどを有する入力デバイス３６を備える。入力デバイス３６は、入力Ｉ／Ｆ３５を介してＭＰＵ３２に接続され、ＭＰＵ３２は通信Ｉ／Ｆ３１を介してＩＥＥＥ１３９４バスと接続されている。
【００４１】
操作装置３０を操作して設定情報を変更する場合、ゲートウェイ１０のＭＰＵ１１により、記憶部１２に記憶されている現在の設定情報の内容を読み出して、ディスプレイ２０に表示する。また、ゲートウェイ１０のＭＰＵ１１により、設定情報の変更を受付ける設定変更画面などを記憶部１２から読み出して、ディスプレイ２０に表示する。
【００４２】
ディスプレイ２０の例を図４（ｂ）に示す。図４（ｂ）に示すディスプレイ２０ａは、液晶パネルなどの表示デバイス２６と、表示デバイス２６に接続され、液晶素子を駆動するドライバ回路２５と、ドライバ回路２５に接続され、表示対象の画像フレームを記憶するフレームメモリ２４とを備える。また、ディスプレイ２０ａは、ＩＥＥＥ１３９４バスに接続された通信Ｉ／Ｆ２１と、通信Ｉ／Ｆ２１に接続されたＭＰＵ２２と、ＭＰＵ２２に接続され、通信Ｉ／Ｆ２１で受付けた画像データの画像処理を行って画像フレームを作成する画像処理回路２３とを備え、画像処理回路２３で作成した画像フレームがフレームメモリ２４に送られ、表示デバイス２６に表示される。
【００４３】
図４（ｂ）にディスプレイ２０の一例（ディスプレイ２０ａ）を示したが、車載の場合においては、タッチパネル式のディスプレイが多く用いられている。図５にタッチパネル式のディスプレイ２０ｂの例を示す。タッチパネル式のディスプレイ２０ｂは、図４（ｂ）に示したディスプレイ２０ａと同様に、通信Ｉ／Ｆ２１、ＭＰＵ２２、画像処理回路２３、フレームメモリ２４、ドライバ回路２５、および、表示デバイス２６を備える。また、ディスプレイ２０ｂは、表示デバイス２６の表示画面表面に設けられたタッチパネルなどの入力デバイス３７と、入力デバイス３７と接続された入力Ｉ／Ｆ３８とを備え、入力Ｉ／Ｆ３８はＭＰＵ２２に接続されている。本実施の形態においては、ディスプレイ２０として、タッチパネル式のディスプレイ２０ｂを例にして説明を行う。
【００４４】
次に、本発明に係るゲートウェイ１０の設定情報の変更について説明する。本説明では、フィルタリングポリシの変更を例にして説明する。また、タッチパネル式のディスプレイ２０ｂを、ディスプレイ２０と表現している。
【００４５】
ユーザが操作装置３０の設定変更キーを操作して、設定情報の変更を指示した場合、設定変更キー（入力デバイス３６）への操作の検出信号が入力Ｉ／Ｆ３５からＭＰＵ３２に送られる。ＭＰＵ３２は、設定変更キーが操作されたことにより、設定情報の変更要求を通信Ｉ／Ｆ３１からゲートウェイ１０に送信する。なお、設定変更キーをディスプレイ２０（ディスプレイ２０ｂの入力デバイス３７）に設け、設定情報の変更要求をディスプレイ２０からゲートウェイ１０に送信することも可能である。
【００４６】
操作装置３０からの変更要求を第１通信Ｉ／Ｆ１４で受付けたゲートウェイ１０の転送制御部１３は、変更要求をＭＰＵ１１に送る。ＭＰＵ１１は、変更要求に応じて、記憶部１２から設定変更画面を読み出して、転送制御部１３からディスプレイ２０に送信する。
【００４７】
ゲートウェイ１０から送信された設定変更画面を通信Ｉ／Ｆ２１で受付けたディスプレイ２０のＭＰＵ２２は、画像処理回路２３に設定変更画面を転送して、表示デバイス２６に設定変更画面を表示させる。設定変更画面の例を図６（ａ）に示す。図６（ａ）に示す設定変更画面６０には、タッチパネル（入力デバイス３７）による操作（選択）を受付ける選択ボタン６１〜６４が設けられている。
【００４８】
図６（ａ）の例では、選択ボタン６１は「制限なくアクセス可能」であり、この設定が選択された場合、転送制御部１３は、第２通信Ｉ／Ｆ１５が受付けたパケットを全てＣＬ−ＬＡＮに転送する。選択ボタン６２は「特定アドレスからのみアクセス可能」であり、この設定が選択された場合、転送制御部１３は、第２通信Ｉ／Ｆ１５が受付けたパケットのヘッダの送信元アドレスを確認し、設定情報の「アクセス可能アドレス」に登録されている場合のみＣＬ−ＬＡＮにパケットを転送する。選択ボタン６３は「特定機器からのみアクセス可能」であり、この設定が選択された場合、転送制御部１３は、第２通信Ｉ／Ｆ１５が受付けたパケットの送信元の機器識別情報を確認し、設定情報の「アクセス可能機器」に登録されている場合のみＣＬ−ＬＡＮにパケットを転送する。選択ボタン６４は「全てアクセス不可」であり、この設定が選択された場合、転送制御部１３は、第２通信Ｉ／Ｆ１５が受付けたパケットを全て破棄し、ＣＬ−ＬＡＮに転送しない。
【００４９】
選択ボタン６１〜６４の何れかが選択された場合、選択ボタン６１〜６４（入力デバイス３７）のいずれかへの操作の検出信号が入力Ｉ／Ｆ３８からＭＰＵ２２に送られる。ＭＰＵ２２は、選択ボタン６１〜６４のいずれかの選択結果を通信Ｉ／Ｆ２１からゲートウェイ１０に送信する。
【００５０】
ディスプレイ２０からの選択結果を第１通信Ｉ／Ｆ１４で受付けたゲートウェイ１０の転送制御部１３は、選択結果をＭＰＵ１１に送る。ＭＰＵ１１は、選択結果に応じて、記憶部１２から設定変更画面を読み出して、転送制御部１３からディスプレイ２０に送信する。例えば、選択ボタン６３（「特定機器からのみアクセス可能」）が選択された場合、ＭＰＵ１１は、設定変更画面として機器選択画面を送信する。例えば、ＭＰＵ１１により、機器選択画面のフォーマットと、ＯＰ−ＬＡＮに接続されている機器識別情報とを記憶部１２から読み出して、機器選択画面を作成し、ディスプレイ２０に送信する。
【００５１】
ゲートウェイ１０から送信された機器選択画面を通信Ｉ／Ｆ２１で受付けたディスプレイ２０のＭＰＵ２２は、画像処理回路２３に機器選択画面を送って、表示デバイス２６に機器選択画面を表示させる。機器選択画面の例を図７（ａ）に示す。図７（ａ）に示す機器選択画面７０には、タッチパネル（入力デバイス３７）による操作を受付ける選択ボタン７１〜７５が設けられている。図７（ａ）の例では、選択ボタン７１，７２，７３，７４は夫々機器Ａ，Ｂ，Ｃ，Ｄの選択に用い、選択ボタン７５（次ページボタン）は、次頁の機器選択画面の表示に用いる。
【００５２】
選択ボタン７１〜７４により機器Ａ〜Ｄの何れかが選択された場合、上述した選択ボタン６１〜６４の選択と同様にして、選択結果（例えば選択ボタン７４を選択）がゲートウェイ１０に送信され、機器選択画面と同様にゲートウェイ１０のＭＰＵ１１で作成された確認画面がディスプレイ２０に送信され、表示される。ディスプレイ２０に表示される確認画面の例を図７（ｂ）に示す。図７（ａ）に示した機器選択画面７０で選択ボタン７４（機器Ｄ）が選択された場合、図７（ｂ）に示すように、機器Ｄからのアクセスを許可することの確認画面８０がディスプレイ２０に表示される。
【００５３】
確認画面８０に設けられたキャンセルボタン８４が選択された場合、上述した選択結果と同様にして、キャンセル指示がゲートウェイ１０に送られ、ゲートウェイ１０からディスプレイ２０に、例えば図６（ａ）に示す選択変更画面が再度送信される。また、確認画面８０に設けられたＯＫボタン８２が選択された場合、上述した選択結果と同様にして、更新指示がゲートウェイ１０に送られ、更新指示を受付けたＭＰＵ１１は、記憶部１２に記憶されている設定情報を更新する。選択ボタン７４（機器Ｄ）が選択された場合は、設定情報の「アクセス可能機器」の設定値に機器Ｄを追加する。追加後、機器ＤからＣＬ−ＬＡＮへのアクセスが可能になる。
【００５４】
設定情報の「アクセス可能アドレス」の変更（図６（ａ）の選択ボタン６２）は、「アドレス変更機器」の変更と同様にして行うことが可能である。アドレスの選択は、図７（ａ）に示した機器の選択と同様に行うことが可能であるが、例えば、「０」〜「９」及び「．」などの選択ボタンにより、ＩＰアドレスなどを直接入力することも可能である。
【００５５】
上述した実施の形態では、ＣＬ−ＬＡＮへのアクセスの可否を設定したが、ＣＬ−ＬＡＮ内の各機器へのアクセスの可否を設定することも可能である。例えば図８に示すように、設定項目「アクセス可能機器」の設定値に、送信先及び送信元を１組にして登録することも可能である。図８の例では、２組の機器（「機器Ｘ」（送信先）及び「機器Ａ」（送信元）と、「機器Ｚ」（送信先）及び「機器Ｃ」（送信元））が登録されている。
【００５６】
また、上述した実施の形態では、ディスプレイ２０をタッチパネル式（ディスプレイ２０ｂ）としたが、タッチパネル式で無い場合（ディスプレイ２０ａ）は、操作装置３０の十字カーソルキー（上下左右キー）と、決定キーと、キャンセルキーとを操作して、設定を変更することが可能である。例えば、図６（ｂ）に示す設定変更画面６０ａ内の反転カーソル６９を十字カーソルキーで移動させ、決定キーで選択を行う。また、操作装置３０は、ディスプレイ２０の操作パネルのように、ディスプレイ２０と一体的に構成することも可能である。また、操作装置３０として、例えばＤＶＤプレーヤのリモートコントローラの十字キー、決定キー及びキャンセルキーなどを使用することも可能である。
【００５７】
上述した実施の形態では、アクセスを許可する機器又はアドレスの登録を受付けたが、登録された機器又はアドレスを削除することも可能である。例えば、操作装置３０の変更指示キーが操作された場合、ディスプレイ２０に設定変更のメニュー画面を表示し、メニュー画面内の選択ボタン「登録の削除」を選択して、登録の削除処理を行う。
【００５８】
また、上述した実施の形態では、フィルタリングポリシの変更を例にして説明したが、設定情報は、フィルタリングポリシに限定はされず、ＩＰ通信に関する設定（例えばＩＰアドレス、サブネットマスク又はＤＮＳなどの設定）、ＩＥＥＥ１３９４に関する設定（例えばバスマネージャの設定）、各種データ伝送に対する優先度設定、セキュリティに関する設定（例えばユーザ登録又はパスワード登録などの設定）、不正アクセスに対する対処設定（例えばアクセスログ、不正アクセス発生時の通知先又は不正アクセス発生時の強制切断などの設定）、または、故障に対する設定（例えば故障のログ記録、故障発生時の通知先又は故障発生時の強制切断などの設定）などを含む。例えば、操作装置３０の変更指示キーが操作された場合、ディスプレイ２０に設定変更のメニュー画面を表示し、メニュー画面内に表示される各種設定の選択ボタンのいずれかを選択して、上述した各種設定の変更処理を行うことが可能である。
【００５９】
（第２の実施の形態）
フィルタリングポリシを変更することにより、セキュリティの強度を低下させることが可能（例えば、図６（ａ）の選択ボタン６１）であるため、フィルタリングポリシを含む設定情報の変更は、特定のデータ伝送元（機器又はユーザ）のみ可能とすることが好ましい。特定の機器のみが設定情報を変更可能なゲートウェイの例を図９に示す。図９に示すゲートウェイ１０は、第１の実施の形態と同様の構成をしている。本実施の形態においては、記憶部（伝送元記憶部）１２に、設定情報を受付けるデータ伝送元の認証に用いる認証設定が記憶されている。
【００６０】
本実施の形態において、認証設定には、ＣＬ−ＬＡＮに接続された機器からのみ設定情報の変更要求を受付けるように登録が行われている。ＭＰＵ（認証手段、取得手段）１１は、設定情報の変更要求を受付けた場合、送信元の機器識別番号及び／又はアドレスを取得し、ＣＬ−ＬＡＮの機器であるか否かを確認し、ＣＬ−ＬＡＮの機器である場合のみ、受付けた変更要求に基づいて設定情報を更新する。ＣＬ−ＬＡＮは、接続される機器が制限されており、多くの場合、自動車メーカが接続した機器しか含まれていない。また、ＣＬ−ＬＡＮは、車両内に設置されているため、車外から操作を行うことはできない。よって、設定情報の変更に対するセキュリティ強度が向上する。
【００６１】
上述した例では、ＣＬ−ＬＡＮに接続された機器のみ設定情報の更新を可能としたが、認証設定に、設定情報の変更要求が許可される機器の機器番号及び／又はアドレスを登録しておき、ＭＰＵ１１により、登録されている機器のみ設定情報の更新を行うことも可能である。例えば、ＣＬ−ＬＡＮに接続された操作装置３０の１３９４アドレス及び／又は機器番号を認証設定に予め登録しておき、ＭＰＵ１１により、データ伝送元が認証設定に登録されている場合のみ設定情報を更新することが可能である。この場合は、ＣＬ−ＬＡＮの中で操作装置３０しか設定情報を変更できず、セキュリティ強度がさらに向上する。
【００６２】
また、例えば認証設定にパスワードを登録しておき、ＭＰＵ（認証手段、取得手段）１１により、パスワード認証が完了した機器（ユーザ）のみ設定情報の更新を行うことも可能である。例えば、ＯＰ−ＬＡＮの車載ＰＣ４２から設定情報の変更要求及びパスワードを受付け、ＭＰＵ１１による認証完了後に設定情報を更新することも可能である。この場合、車載ＰＣのキーボード及び表示装置が、操作装置３０及びディスプレイ２０と同様に動作し、第２通信Ｉ／Ｆ１５が、設定情報の変更要求を受付ける手段として動作する。
【００６３】
また、同一機器からのパスワード認証が続けて所定回数（例えば５回）失敗した場合、ＭＰＵ１１による前記機器からのパスワード認証を中止して、セキュリティ強度を高めることも可能である。また、例えばゲートウェイ１０のリセットスイッチなどを操作して、パスワードを初期化することも可能である。認証設定は、設定情報に含まれており、セキュリティポリシなどの変更と同様にして、変更することが可能である。
【００６４】
（第３の実施の形態）
設定情報を変更した場合、ゲートウェイ１０の動作が一時的に不安定になる可能性がある。また、運転中に設定情報の変更操作を行うことにより、運転に対する集中力が低下する可能性がある。そのため、設定情報の変更は、停車中に行うことが好ましい。停車中にのみ設定情報を変更するゲートウェイを有する車載ＬＡＮの例を図１０に示す。図１０に示すゲートウェイ１０は、第１の実施の形態と同様の構成をしている。本実施の形態において、ＣＬ−ＬＡＮには、車速を表示するスピードメータ４９が接続されている。スピードメータ４９は、図示しない車速センサ（停止検出手段）と接続され、車速センサから出力される車速検出信号に応じた速度を表示する。スピードメータ４９からゲートウェイ１０に、車速に関する車速情報が送信される。
【００６５】
ゲートウェイ１０の転送制御部１３から車速情報を受付けたＭＰＵ１１は、車速が基準値よりも小さい場合は、車両が停車していると判定する。ＭＰＵ（更新手段）１１は、車両が停止していると判定した場合のみ、変更要求に応じて設定情報を変更する。上述した説明では、車載ＬＡＮにスピードメータ４９を接続したが、スピードメータ４９又は車速センサを直接ゲートウェイ１０に接続することも可能である。また、車両の停止は、サイドブレーキの状態から取得することも可能である。
【００６６】
【発明の効果】
第１又は第２発明によれば、受付手段で受付けた設定情報の変更要求に応じて、設定記憶部に記憶されている設定情報を更新手段で更新することが可能なため、例えばデータ伝送処理のフィルタリングポリシなどを任意に変更することができる。例えば、セキュリティ強度が高くなるように設定情報を変更したり、セキュリティ強度を下げて利便性を向上させることが可能になる。
【００６７】
第３発明によれば、車両に搭載されている機器から設定情報の変更要求を受付けることにより、ゲートウェイ装置に操作装置を新規追加する必要が無く、コストを低減できると共に、ゲートウェイ装置自身には操作部が無いため、例えばインストルメントパネルの裏側など、任意の場所に配置することが可能になる。
【００６８】
第４発明によれば、車載ＬＡＮ内の機器から設定情報の変更要求を受付けることにより、ゲートウェイ装置と操作装置とを新規接続する必要が無く、コストを低減できる。また、ゲートウェイ装置は車載ＬＡＮに接続できればよいため、インストルメントパネルの裏側など、任意の場所に配置することが可能である。
【００６９】
第５又は６発明によれば、認証手段でデータ伝送元を認証し、認証が完了した場合に、更新手段で設定情報を更新することにより、設定情報の変更を行えるデータ伝送元（機器又はユーザ）が制限され、設定情報の変更に関するセキュリティ強度が向上する。例えば、データ伝送元の識別情報を取得手段で取得し、取得した識別情報と伝送元記憶部に記憶されている識別情報とに基づいて認証を行う。設定情報の変更資格を有していないデータ伝送元（機器又はユーザ）による設定情報の変更を防止することが可能になる。
【００７０】
第７発明によれば、機器の追加が制限されるセキュリティ強度の高い通信ネットワーク内の機器から設定情報の変更を指示することにより、設定情報の変更に対するセキュリティ強度がさらに向上する。
【００７１】
第８発明によれば、停止検出手段によって車両の停止が検出された場合に、変更要求に応じて更新手段で設定情報を更新することにより、設定情報の変更時に生じる可能性のある注意力の低下又は安定性の低下が運転に及ぼす影響が低減され、安全性が高まる。
【図面の簡単な説明】
【図１】本発明に係るゲートウェイ（車載ゲートウェイ装置）を備えた車載ＬＡＮ（車載通信システム）の例を示すブロック図である。
【図２】本発明に係るゲートウェイの例を示すブロック図である。
【図３】設定情報の例を示す図である。
【図４】（ａ）は操作装置の例を示すブロック図であり、（ｂ）はディスプレイの例を示すブロック図である。
【図５】タッチパネル式のディスプレイの例を示すブロック図である。
【図６】設定変更画面の例を示す図である。
【図７】（ａ）は機器選択画面の例を示す図であり、（ｂ）は確認画面の例を示す図である。
【図８】設定情報の例を示す図である。
【図９】本発明に係るゲートウェイの例を示すブロック図である。
【図１０】本発明に係るゲートウェイを備えた車載ＬＡＮの例を示すブロック図である。
【符号の説明】
１０  ゲートウェイ（車載ゲートウェイ装置）
１１  ＭＰＵ（更新手段、認証手段、取得手段）
１２  記憶部（設定記憶部、伝送元記憶部）
１３  転送制御部
１４  第１通信Ｉ／Ｆ（受付手段）
１５  第２通信Ｉ／Ｆ（受付手段）
２０  ディスプレイ
３０  操作装置
２６  表示デバイス
３６  入力デバイス
４９  スピードメータ
【図１】
2004179772.tif 000003
【図２】
2004179772.tif 000004
【図３】
2004179772.tif 000005
【図４】
2004179772.tif 000006
【図５】
2004179772.tif 000007
【図６】
2004179772.tif 000008
【図７】
2004179772.tif 000009
【図８】
2004179772.tif 000010
【図９】
2004179772.tif 000011
【図１０】
2004179772.tif 000012